【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
工具ホルダー（２２）であって、
ホルダーシャンク（３０）から前方向（Ｆ）に離れる方向に延在するホルダーヘッド（２８）を有する本体（２６）であって、前記ホルダーヘッド（２８）はその前端（３４）においてインサート受けポケット（３２）を有し、ポケット支持面（３６）は実質的に上方向（Ｕ）に面する、本体（２６）と、
前記ホルダーヘッド（２８）内に螺合されずに保持され、全体的に前記ポケット支持面（３６）の後方に位置するクランプ部材（５０）と、
前記クランプ部材（５０）の単一の当接面（５４）と作動的に係合するロック部材（５２）と、を含み、
前記当接面（５４）は、略上方に面し、
前記工具ホルダー（２２）は、クランプ力（ｆ）を前記ポケット支持面（３６）に向け、切削インサート（２４）を前記ポケット支持面（３６）に対してクランプするように構成されている、
工具ホルダー。
【請求項２】
前記クランプ部材（５０）は、ピンシャフト（５８）およびピンヘッド（６０）を有するクランプピン（５６）の形であり、
前記ピンシャフト（５８）は、前記ホルダーヘッド（２８）の貫通孔（６２）内に摺動自在に保持され、前記貫通孔（６２）は貫通孔軸（Ａ２）を有する請求項１に記載の工具ホルダー（２２）。
【請求項３】
前記貫通孔軸（Ａ２）は前記上方向（Ｕ）に延在する請求項２に記載の工具ホルダー（２２）。
【請求項４】
前記当接面（５４）は、前記ピンシャフト（５８）内でシャフト凹部（６８）の一部を形成し、
前記ピンヘッド（６０）は、前記ピンシャフト（５８）直近で下方向（Ｄ）に面するヘッド下面（６６）を有する請求項２または３に記載の工具ホルダー（２２）。
【請求項５】
前記ピンシャフト（５８）は、シャフト径ｒを有し、シャフト軸（Ａ３）に沿って前記ピンヘッド（６０）から離れる方向に延在する円筒形であり、
前記シャフト凹部（６８）は、凹部軸（Ａ４）に沿って延在する円錐形であり、
前記凹部軸（Ａ４）は前記シャフト軸（Ａ３）と交差する請求項４に記載の工具ホルダー（２２）。
【請求項６】
前記凹部軸（Ａ４）は、前記シャフト軸（Ａ３）と垂直であり、
前記当接面（５４）は、前記凹部軸（Ａ４）と鋭角な当接外角（α）を形成し、
前記当接角（α）は、４５°未満で、２０°を超える請求項５に記載の工具ホルダー（２２）。
【請求項７】
前記インサート受けポケット（３２）は、実質的に前記下方向（Ｄ）に面するポケットクランプ面（４４）を含み、
前記ロック部材（５２）は中央軸（Ａ５）を有し、
前記ポケットクランプ面（４４）と前記ポケット支持面（３６）との間のクランプ距離ｄ２は、その中央軸（Ａ５）を中心とする一方向の前記ロック部材（５２）の回転により減少し、その中央軸（Ａ５）を中心とする反対方向の前記ロック部材（５２）の回転により増加する請求項４〜６のいずれか一項に記載の工具ホルダー（２２）。
【請求項８】
前記ロック部材（５２）は、螺刻部（７８）および非螺刻部（８０）を有するロックねじ（７６）の形であり、
前記非螺刻部（８０）は、略円錐台形を有する当接面（８８）を含み、
前記当接面（８８）の一部は、前記クランプ部材（５０）の前記当接面（５４）と接触する請求項１〜７のいずれか一項に記載の工具ホルダー（２２）。
【請求項９】
工具ホルダー（２２）に切削インサート（２４）をクランプする方法であって、前記工具ホルダー（２２）は、
ホルダーシャンク（３０）から前方向（Ｆ）に離れる方向に延在するホルダーヘッド（２８）を有する本体（２６）であって、前記ホルダーヘッド（２８）はその前端（３４）においてインサート受けポケット（３２）を有し、ポケット支持面（３６）は実質的に上方向（Ｕ）に面する、本体（２６）と、
前記ホルダーヘッド（２８）内に螺合されずに保持されるクランプ部材（５０）と、
前記クランプ部材（５０）の単一の当接面（５４）と作動的に係合するロック部材（５２）と、を含み、前記当接面（５４）は、略上方に面し、
前記切削インサート（２４）は、対向する第１および第２のインサート面（３８、４０）を有し、第１のインサート面（３８）は作業切刃（４２）と関連し、
前記方法は、
前記第２のインサート面（４０）の一部を前記ポケット支持面（３６）と接触させて、前記切削インサート（２４）を前記ホルダーヘッド（２８）の前端（３４）近傍に位置決めするステップと、
前記切削インサート（２４）を前記インサート受けポケット（３２）内へ後方向（Ｒ）に摺動させるステップと、
クランプ力（ｆ）が前記第２のインサート面（４０）と前記ポケット支持面（３６）との間に印加されるまで、前記ロック部材（５２）を作動させるステップと、
を含む方法。
【請求項１０】
前記クランプ部材（５０）は、全体的に前記ポケット支持面（３６）の後方に位置する請求項９に記載の方法。
【請求項１１】
前記ロック部材（５２）は中央軸（Ａ５）を有し、
その中央軸（Ａ５）を中心とする一方向の前記ロック部材（５２）の回転により、前記クランプ部材（５０）が下方向（Ｄ）に移動し、前記クランプ力（ｆ）が前記第２のインサート面（４０）と前記ポケット支持面（３６）との間に印加される請求項９または１０に記載の方法。
【請求項１２】
前記クランプ部材（５０）は、ピンシャフト（５８）およびピンヘッド（６０）を有するクランプピン（５６）の形であり、
前記ピンシャフト（５８）は、前記ホルダーヘッド（２８）の貫通孔（６２）内に摺動自在に保持され、前記貫通孔（６２）は貫通孔軸（Ａ２）を有する請求項９〜１１のいずれか一項に記載の方法。
【請求項１３】
前記当接面（５４）は、前記ピンシャフト（５８）内でシャフト凹部（６８）の一部を形成し、
前記ピンヘッド（６０）は、前記ピンシャフト（５８）直近で下方向（Ｄ）に面するヘッド下面（６６）を有する請求項１２に記載の方法。
【請求項１４】
前記ピンシャフト（５８）は、シャフト軸（Ａ３）に沿って前記ピンヘッド（６０）から離れる方向に延在する円筒形であり、
前記シャフト凹部（６８）は、凹部軸（Ａ４）に沿って延在する円錐形であり、
前記凹部軸（Ａ４）は前記シャフト軸（Ａ３）と交差する請求項１３に記載の方法。
【請求項１５】
前記凹部軸（Ａ４）は、前記シャフト軸（Ａ３）と垂直であり、
前記当接面（５４）は、前記凹部軸（Ａ４）と鋭角な当接外角（α）を形成する請求項１４に記載の方法。
【請求項１６】
前記インサート受けポケット（３２）は、ポケットクランプ面（４４）を含み、
前記ポケットクランプ面（４４）は、前記第１のインサート面（３８）とクランプ接触する請求項９〜１５のいずれか一項に記載の方法。
【請求項１７】
工具ホルダー（２２）アセンブリであって、
ホルダーシャンク（３０）から前方向（Ｆ）に離れる方向に延在するホルダーヘッド（２８）を有する本体（２６）であって、前記ホルダーヘッド（２８）は、上面（２９）と、その内部に形成されるロック孔（８２）を有する少なくともひとつの外側面（８４、８６）と、その前端（３４）においてインサート受けポケット（３２）とを有し、前記インサート受けポケット（３２）は、ポケット支持面（３６）と、対向するポケットクランプ面（４４）とを含む、本体（２６）と、
前記ホルダーヘッド（２８）に受けられ、全体的に前記ポケット支持面（３６）の後方に位置するよう構成されるクランプ部材（５０）であって、当接面（５４）を有するクランプ部材と、
前記クランプ部材（５０）が、前記ホルダーヘッドの上面（２９）に受けられ、前記ロック部材（５２）によって前記ホルダーヘッド（２８）内に螺合されずに保持される場合、前記ホルダーヘッドの外側面（８４、８６）に形成される前記ロック孔（８２）内に受けられ、前記クランプ部材の当接面（５４）と係合し、それによって、前記ポケット支持面（４２）の方向に前記ポケットクランプ面（４４）を付勢する当接力（Ｇ）を印加するよう構成されるロック部材（５２）と、
を含む工具ホルダー（２２）アセンブリ。
【請求項１８】
前記ホルダーヘッド（２８）は、前記ホルダーヘッドの上面（２９）に開口し、前記前方向（Ｆ）を横断する第１の方向に延在する第１の孔（６２）であって、前記クランプ部材（５０）を受けるよう構成される第１の孔（６２）を含み、
前記ロック孔（８２）は、前記前方向（Ｆ）を横断する第２の方向に延在し、前記ロック孔（８２）は、前記第１の孔（６２）と交差し、前記ロック部材（５２）を受けるよう構成される、
請求項１７に記載の工具ホルダー（２２）アセンブリ。
【請求項１９】
切削工具（２０）であって、
請求項１７または１８に記載の前記工具ホルダー（２２）アセンブリと、
前記ポケット支持面（３６）と前記ポケットクランプ面（４４）との間で前記インサート受けポケット（３２）にクランプされて保持される切削インサート（２４）とを含み、
前記クランプ部材（５０）は、前記ホルダーヘッド（２８）内に螺合されずに保持され、
前記ロック部材（５２）は、前記ロック孔（８２）を占有し、前記クランプ部材の当接面（５４）と係合し、それによって前記当接力（Ｇ）を印加する、
切削工具（２０）。